(57)【要約】【課題】池の形状に因らず、水面を一定高さに保ちながら池の水を循環することができるとともに、簡単な構成で池の水面に浮かぶゴミや不純物を取り除いて水質の安定を図ることができる人工池装置を提供する。【解決手段】池部１１と、池部の所定水面位置の水が流入できるように段差部２１を介して隣接された貯水部２０とを有し、貯水部はその上部にろ過部３０が形成されているとともに、ろ過部の下側には送水ポンプ４２及び池部への送水部材４１が設けられた送水部４０が設けられていて、池部の水を段差部及びろ過部を介して貯水部に貯水し、送水部より池部へ循環送出するようにし、池部と貯水部が防水性シート７０によって形成され、送水部が貯水部に対して分離可能に形成され、池部に雨水を流入させる雨水路９０を有し、池部及び貯水部の周囲に溢れ出た水を排出する排出路９１を有し、送水部材が池部の底において埋設されている人工池装置。【選択図】図１
2015124541.tif 000002
【特許請求の範囲】
【請求項１】
池部と、
前記池部の所定水面位置の水が流入できるように段差部を介して隣接された貯水部とを有し、
前記貯水部はその上部にろ過部が形成されているとともに、前記ろ過部の下側には送水ポンプ及び前記池部への送水部材が設けられた送水部が設けられていて、
前記池部の水を前記段差部及びろ過部を介して貯水部に貯水し、前記送水部より前記池部へ循環送出するようにした
ことを特徴とした人工池装置。
【請求項２】
前記池部と前記貯水部が防水性シートによって形成されている請求項１に記載の人工池装置。
【請求項３】
前記送水部が前記貯水部に対して分離可能に形成されている請求項１又は２に記載の人工池装置。
【請求項４】
前記池部に雨水を流入させる雨水路を有する請求項１ないし３のいずれか１項に記載の人工池装置。
【請求項５】
前記池部及び前記貯水部の周囲に溢れ出た水を排出する排出路を有する請求項１ないし４のいずれか１項に記載の人工池装置。
【請求項６】
前記送水部材が前記池部の底において埋設されている請求項１ないし５のいずれか１項に記載の人工池装置。
【発明の詳細な説明】
【技術分野】
【０００１】
本考案は、屋外庭園等に造られる人工池装置に関し、特には池の水を循環させて浄化した貯留水を循環するようにした人工池装置に関する。
【背景技術】
【０００２】
屋外庭園等に観賞用の池が造られることがある。それらの池は鯉や金魚等を飼育したり、蓮等の植物を生育させ庭の景観を形作る一部として用いられている。ため池のように水が流動しない貯水池では、貯留水が淀んでしまうため、貯留水を循環して滞留を防ぐための装置や、循環中に池の水面のゴミ等を取り除いて、貯留水をきれいにするための装置を取り付けることがある。例えば、水を循環して使用する貯留池において、貯留池の一部に敷かれた土砂と、貯留池の底に設けられた砂層を水が通過することにより、水を浄化する水の浄化方法が提案されている（特許文献１参照。）。
【０００３】
また、池に貯留される水嵩が安定するように、池底に粘土を用いる方法があるが、維持に手間やコストがかかってしまう。そのため維持コストの削減のために池底をコンクリートで造ることがあるが、初期費用が高い等の問題が挙げられていた。また、プラスチック製のひょうたん形状の池型を埋設して安価な費用で造ることができる貯水池も増えたが、貯水池の形を自由に選択することができなくなってしまうことがあった。さらに、貯留水は季節を問わず大量に蒸散し水位が著しく低下し、水道水の補給には大量のコストがかかるため、水の蒸散量を減らすことが必要であった。
【先行技術文献】
【特許文献】
【０００４】
【特許文献１】特許第３５２０３５５号公報
【発明の概要】
【発明が解決しようとする課題】
【０００５】
本発明は、前記の点を鑑みなされたものであり、池の形状に因らず、水面を一定高さに保ちながら池の水を循環することができるとともに、簡単な構成で池の水面に浮かぶゴミや不純物を取り除いて水質の安定を図ることができる人工池装置を提供するものである。
【課題を解決するための手段】
【０００６】
すなわち、請求項１の発明は、池部と、前記池部の所定水面位置の水が流入できるように段差部を介して隣接された貯水部とを有し、前記貯水部はその上部にろ過部が形成されているとともに、前記ろ過部の下側には送水ポンプ及び前記池への送水部材が設けられた送水部が設けられていて、前記池部の水を前記段差部及びろ過部を介して貯水部に貯水し、前記送水部より前記池部へ循環送出するようにしたことを特徴とした人工池装置に係る。
【０００７】
請求項２の発明は、前記池部と前記貯水部が防水性シートによって形成されている請求項１に記載の人工池装置に係る。
【０００８】
請求項３の発明は、前記送水部が前記貯水部に対して分離可能に形成されている請求項１又は２に記載の人工池装置に係る。
【０００９】
請求項４の発明は、前記池部に雨水を流入させる雨水路を有する請求項１ないし３のいずれか１項に記載の人工池装置に係る。
【００１０】
請求項５の発明は、前記池部及び前記貯水部の周囲に溢れ出た水を排出する排出路を有する請求項１ないし４のいずれか１項に記載の人工池装置に係る。
【００１１】
請求項６の発明は、前記送水部材が前記池部の底において埋設されている請求項１ないし５のいずれか１項に記載の人工池装置に係る。
【発明の効果】
【００１２】
請求項１の発明に係る人工池装置によると、池部と、前記池部の所定水面位置の水が流入できるように段差部を介して隣接された貯水部とを有し、前記貯水部はその上部にろ過部が形成されているとともに、前記ろ過部の下側には送水ポンプ及び前記池への送水部材が設けられた送水部が設けられていて、前記池部の水を前記段差部及びろ過部を介して貯水部に貯水し、前記送水部より前記池部へ循環送出するようにしたため、池の形状に因らず、水面を一定高さに保ちながら池の水を循環することができるとともに、一定の水嵩で簡単な構成で池の水面に浮かぶゴミや不純物を水面層の水の流速で流し取ることができる。
【００１３】
請求項２の発明に係る人工池装置によると、請求項１の発明において、前記池部と前記貯水部が防水性シートによって形成されているため、貯留水が地中に吸収されないため、水嵩が減りにくく安定して貯留水を循環することができる。
【００１４】
請求項３の発明に係る人工池装置によると、請求項１又は２の発明において、前記送水部が前記貯水部に対して分離可能に形成されているため、送水ポンプの清掃等の手入れをしやすくすることができる。
【００１５】
請求項４の発明に係る人工池装置によると、請求項１ないし３のいずれかの発明において、前記池部に雨水を流入させる雨水路を有するため、蒸発等により貯留水が減少しても雨水を補給することができ、水道水を補給することなく水嵩を安定させることができる。
【００１６】
請求項５の発明に係る人工池装置によると、請求項１ないし４のいずれかの発明において、前記池部及び前記貯水部の周囲に溢れ出た水を排出する排出路を有するため、過剰水を速やかに排水することができる。
【００１７】
請求項６の発明に係る人工池装置によると、請求項１ないし５のいずれかの発明において、前記送水部材が前記池部の底において埋設されているため、池部の底に堆積したゴミ等を浮上させることができ、ゴミをろ過部において濾しとり回収することができる。
【図面の簡単な説明】
【００１８】
【図１】本発明の一実施例に係る人工池装置の一部断面を示す全体斜視図である。
【図２】段差部近傍を示す第１実施形態の第１容体の平面図である。
【発明を実施するための形態】
【００１９】
本発明の人工池装置１０は、外部に露出した池部１１と、池部１１と隣接して配置される貯水部２０とを有する。池部１１及び貯水部２０は、請求項２に記載するように、防水性シート７０によって形成されることにより、人工池装置１０に貯留された水は地中に吸収されず水位が下がりにくくなる。防水性のシート状物を用いることにより、池部１１及び貯水部２０の形状、大きさ等限定されず自由な形に形成することができる。
【００２０】
防水性シートは、従来公知のものが使用され、例えば、エチレン・プロピレン・ジエンゴム（ＥＰＤＭ）やポリ塩化ビニル（ＰＶＣ）等をシート状に成型したものが挙げられる。伸縮性を有する素材を用いると、池部１１の底部等の形状に簡単に対応させることができることから、本実施例においては耐候性及び耐劣化性も鑑み、エチレン・プロピレン・ジエンゴム（ＥＰＤＭ）を採用した。
【００２１】
池部１１を任意の形状に整形した後、貯留水が地中に吸収されないように防水シート７０を敷設して池部１１と貯水部２０を形成する。貯留水が地中に吸収されず水嵩が減少しにくいため、貯留水を安定して循環させることができる。さらに、池部１１に雨水を導入する雨水路９０を形成することで、水の蒸発量が多い夏などに水嵩が減った時にも水位を安定して保持することができる。また、雨水路９０は家屋の雨樋等と連結させて流入する雨水の量を増やしてもよい。これによって、水を補給し水嵩の安定と、水温、水質を保つことができる。さらに、流入する水量が多くなり貯水部２０の貯水量を超えた時に溢れ出る水を排出する排出路９１を形成することもできる。安定した水量を保持できるため、貯留水は緊急用の非常用水にも用いることができる。
【００２２】
池部１１の水面位置は貯水部２０の上面よりも高い位置になるように設定され、段差部２１を介して水が池部１１から貯水部２０に流入する。段差部２１を介して流入する時に水が大きく動くため、水が空気に触れる面積が増えて水質改善を望むことができる。段差の高さは５〜１０ｃｍ程度に形成すると、流入時の水音を小さくすることができる。また、段差を大きく形成すると滝のような景観を造ることができる。図１の実施例においては、段差部２１を形成するために、池部１１と貯水部２０の間に仕切部８０を形成している。仕切部８０の上部が露出して段差部２１を形成し、池部１１及び貯水部２０は分離して形成される。
【００２３】
図２に示すように、段差部２１を超えて池部１１の水が貯水部２０に流入するため、水面に浮かぶ落ち葉などのゴミが段差部２１と貯水部２０の上部との間に溜まり、落ち葉等のゴミが溜まって池部１１の水が貯水部２０に流入しにくくなることを防ぐことができ、スムーズな循環を維持し続けることができる。仕切部８０の上部露出部分は、石版等で装飾して周囲と調和させることにより美観の向上を図ることができる。池部１１と貯水部２０は地面を掘削した水路、スキマーやトンネル状の製作物等で仕切ることもできる。
【００２４】
貯水部２０の上部にはろ過部３０が形成されており、段差部２１を超えて流入した水はろ過部３０を透過して貯水部２０に貯留される。図２に示すように、ろ過部３０は水面に浮かぶ落ち葉Ｌ等のゴミを濾しとって集めることができ、ゴミの回収が容易となる。さらに砂利Ｇ等を敷くことで景観を向上させることができる。ろ過部３０には格子状の箱体を用いることができる。ろ過部３０の強度が高いものを使用することで、重量の軽い砂利に限らず景観に合わせた装飾を施すことができる。また、不織布３１等の透水性のシートをろ過部３０の上部に敷設することにより、細かい砂利や砂等を敷くことができ、さらに美観の向上を望むことができるとともに、細かなゴミ等も濾しとることができる。
【００２５】
貯水部２０は池部１１の水が流入する構成のため隣接して配置され、地下に埋設される。これにより、貯水部２０内に貯留する水は外部に露出することがないため日光が直接照射されず、水温上昇を防ぐことができる。貯水部２０の水温が上がりにくくなるため、人工池装置１０で循環する水全体の水温の上昇を防ぐことができ、水温上昇による水の蒸散量を抑えつつ、藻類の繁殖を抑制して人工池装置１０を汚れにくくすることができる。
【００２６】
ろ過部３０の下側には、送水ポンプ４１及び池部１１への送水部材４２が設けられた送水部４０が設けられている。送水部４０は貯水部２０に設けられ、実施例においては、請求項３に記載するように、貯水部２０に対して送水部４０を分離して形成している。貯水部２０において、送水部４０を分離して形成することにより、送水ポンプ４１を取り出しやすくすることができるため、送水ポンプ４１の清掃等の手入れをしやすくなる。
【００２７】
送水ポンプ４１は送水部４０に貯留された水中に配置され、送水部材４２に送水部４０内の水を池部１１に送ることにより、人工池装置１０の水を循環させる。送水部材４２は多孔管４３を使用し、本実施例では孔４４を設けたものを用いている。孔４４は、泥やゴミ等が目詰まりしにくい程度の適宜の大きさに調整される。また、多孔管４３の孔４４の目詰まり等を解消するために、送水ポンプ４１から強い圧力で送水することで、つまり等を解消することができる。
【００２８】
加えて、多孔管４３を池部１１の底に砂利等で埋設すると、底に堆積したゴミ等を浮上させて段差部２１及びろ過部３０で回収することができる。砂利等に繁殖し、送り込まれた酸素や一定水温により活性化した細菌により孔４４から送水された水に含まれる有機物が分解され、水生植物を植えこんで養分を吸収させて水質の安定を図ることができる。さらに、送水量を多くすることで水の流れを速くし、水面の落ち葉等のゴミが沈殿する前に段差部３０まで運び濾しとることができる。多孔管４３により池部１１の底全体から送水することができるため、砂利を通過する水量が増加し、より水質の安定を図ることができる。
【００２９】
この人工池装置１０は池部１１と、ろ過部３０とろ過部３０の下部に設けられた送水部４０とを備えた貯水部２０とを隣接して有し、池部１１の水が段差部２１を介して貯水部２０に貯水され、送水部４０により水が池部１１に送出されて貯留水が循環する。そのため、簡単な構成で水を循環させ、ろ過により落ち葉等のゴミの除去をすることができる。また、池部１１及び貯水部２０を防水性シート７０により形成することにより、地中に貯留水が吸収されなくなるため、水位を減少させにくい。貯水部２０が地下に埋設されることから、貯留水の水温上昇が抑えられ水の蒸散量を抑制して水位を一定に保つことが可能となる。
【００３０】
なお、本発明の人工池装置は、前述の実施例のみに限定されるものではなく、送水部材を複数にして池部の底に溜まったゴミ等を浮かしやすくする構成にしてもよく、この発明の趣旨を逸脱しない範囲において、構成の一部を適宜に変更して実施することができる。
【符号の説明】
【００３１】
１０  人工池装置
１１  池部
２０  貯水部
２１  段差部
３０  ろ過部
４０  送水部
４１  送水ポンプ
４２  送水部材
４３  多孔管
４４  孔
７０  防水性シート
８０  仕切部
９０  雨水路
９１  排出路
Ｇ  砂利
Ｌ  落ち葉
【図１】
2015124541.tif 000003
【図２】
2015124541.tif 000004